(57)【特許請求の範囲】
【請求項１】
吸収体と前記吸収体に重なる本体シートを有する吸収性本体と、
前記本体シートの幅方向外側端部に接合され、前記吸収性本体の非肌当接側の面に止着する止着部材と、を備え、
前記止着部材は、前記本体シートに重なる止着基端部と、前記本体シートから延出した止着延出部と、前記止着延出部に設けられ、前記吸収性本体に止着する止着係合部と、を有する、吸収性物品であって、
前記本体シートの幅方向外側端部は、前記吸収体の長手方向に沿った折り目を基点に折り返され、仮接合部を介して前記折り目よりも幅方向内側の前記本体シートに剥離可能に仮固定され、
前記仮接合部は、前記止着基端部から前記幅方向に延びる幅領域よりも前記長手方向外側、及び前記幅領域よりも前記長手方向内側にそれぞれ配置されており、前記幅領域内に配置されていない、吸収性物品。
【請求項２】
前記仮接合部の前記長手方向の長さは、前記本体シートの幅方向外側端部における前記本体シートの前記長手方向の長さと同じ又は前記本体シートの幅方向外側端部における前記本体シートの前記長手方向の長さよりも短い、請求項１に記載の吸収性物品。
【請求項３】
前記本体シートは、前記吸収体よりも幅方向外側に延出するサイドフラップを有し、
前記止着部材は、前記サイドフラップに接合されている、請求項１又は請求項２に記載の吸収性物品。
【請求項４】
前記仮接合部は、前記止着基端部から前記長手方向に延びる長手領域内に位置する、請求項１から請求項３のいずれかに記載の吸収性物品。
【請求項５】
前記止着部材の前記止着延出部は、前記長手方向に沿った折り目を基点に前記幅方向内側に折り返されて前記本体シートに重なっており、
前記仮接合部は、前記止着延出部と前記本体シートが重なった領域と離間している、請求項１から請求項３のいずれかに記載の吸収性物品。
【請求項６】
前記止着部材は、複数設けられており、
前記複数の止着部材は、前記長手方向に離間しており、
前記複数の止着部材間には、前記仮接合部が配置されている、請求項１から請求項５のいずれかに記載の吸収性物品。
【請求項７】
前記止着部材は、複数設けられており、
前記複数の止着部材は、前記長手方向に離間しており、
前記複数の止着部材間には、前記仮接合部が配置されていない、請求項１から請求項５のいずれかに記載の吸収性物品。
【請求項８】
前記吸収性本体は、前記吸収体の肌当接面側に配置され、前記吸収体から着用者側に立ち上がる起立性の防漏カフを有し、
前記仮接合部は、前記防漏カフに重なって配置されている、請求項１から請求項７のいずれかに記載の吸収性物品。
【請求項９】
前記仮接合部は、前記長手方向に延びる長手接合領域と前記幅方向に延びる幅接合領域を有し、
前記長手接合領域と前記幅接合領域は、交互に連続して配置されている、請求項１から請求項８のいずれかに記載の吸収性物品。
【請求項１０】
前記仮接合部は、前記本体シートの長手方向中心よりも前側又は後側に偏倚して配置されている、請求項１から請求項９のいずれかに記載の吸収性物品。
【請求項１１】
吸収体と前記吸収体に重なる本体シートを有する吸収性本体と、
前記本体シートの幅方向外側端部に接合され、前記吸収性本体の非肌当接側の面に止着する止着部材と、を備え、
前記止着部材は、前記本体シートに重なる止着基端部と、前記本体シートから延出した止着延出部と、前記止着延出部に設けられ、前記吸収性本体に止着する止着係合部と、を有する、吸収性物品であって、
前記本体シートの幅方向外側端部は、前記吸収体の長手方向に沿った折り目を基点に折り返され、仮接合部を介して前記折り目よりも幅方向内側の前記本体シートに剥離可能に仮固定され、
前記仮接合部は、
前記止着基端部から前記幅方向に延びる幅領域よりも前記長手方向外側、及び前記幅領域よりも前記長手方向内側にそれぞれ配置されており、前記幅領域内に配置されていない第１仮接合部と、
前記第１仮接合部よりも前記本体シートの前記折り目側に位置し、かつ前記止着部材上に配置されていない第２仮接合部と、を有する、吸収性物品。
【発明の詳細な説明】
【技術分野】
【０００１】
本発明は、吸収体と、吸収体と重なる本体シートと、本体シートに接合された止着部材と、を有する吸収性物品に関する。
【背景技術】
【０００２】
特許文献１には、吸収体と、吸収体の肌当接面側に配置された本体シートとしてのサイドパネルと、サイドパネルに接合された止着部材と、を有する吸収性物品が開示されている。特許文献１の吸収性物品のサイドパネルは、使用前の状態で幅方向内側に折り畳まれ、接着剤を介してギャザーシート（本体シート）に剥離可能に接合されている。止着部材及びサイドフラップは、後胴回り域に配置されている。
【０００３】
特許文献１の吸収性物品を装着する際は、サイドパネルをギャザーシートから剥離して、サイドパネルを展開する。次いで、使い捨ておむつを着用者の身体の周りに配置し、止着部材を前胴回り域に引き寄せて、前胴回り域に止着する。
【先行技術文献】
【特許文献】
【０００４】
【特許文献１】特許第３８７８９２０号公報
【発明の概要】
【発明が解決しようとする課題】
【０００５】
しかし、上述の使い捨ておむつは、以下の問題があった。
【０００６】
特許文献１のサイドパネルとギャザーシートの接合部は、止着部材上に配置されている。よって、止着部材は、使用前の状態で接着剤を介して表面シートに接合されている。止着部材自体が表面シートに接合されているため、展開時に止着部材を把持するために止着部材と表面シートの間に指を入れようとしても、指を挿入できない。よって、サイドパネル及び止着部材を容易に展開できず、装着時の操作性の向上を図ることができなかった。
【０００７】
そこで、本発明は、吸収体と、吸収体に重なる本体シートと、本体シートに接合された止着部材と、を有する吸収性物品において、本体シート及び止着部材を容易に展開でき、装着時の操作性を向上できる吸収性物品を提供することを目的とする。
【課題を解決するための手段】
【０００８】
上述した課題を解決するため、本開示に係る吸収性物品は、吸収体と前記吸収体に重なる本体シートを有する吸収性本体と、前記本体シートの幅方向外側端部に接合され、前記吸収性本体の非肌当接側の面に止着する止着部材と、を備え、前記止着部材は、前記本体シートに重なる止着基端部と、前記本体シートから延出した止着延出部と、前記止着延出部に設けられ、前記吸収性本体に止着する止着係合部と、を有する、吸収性物品であって、前記本体シートの幅方向外側端部は、前記吸収体の長手方向に沿った折り目を基点に折り返され、仮接合部を介して前記折り目よりも幅方向内側の本体シートに剥離可能に仮固定され、前記仮接合部は、前記止着基端部から前記幅方向に延びる幅領域よりも前記長手方向外側、及び前記幅領域よりも前記長手方向内側にそれぞれ配置されていることを要旨とする。
【発明の効果】
【０００９】
本発明によれば、使用時において本体シート及び止着部材を容易に展開でき、装着時の操作性を向上できる吸収性物品を提供できる。
【図面の簡単な説明】
【００１０】
【図１】実施の形態に係る吸収性物品の平面図である。
【図２】図１に示すＡ−Ａ断面図である。
【図３】図１に示す吸収性物品のサイドフラップを折り畳んだ状態の平面図である。
【図４】図３に示すＢ−Ｂ断面図である。
【図５】図３に示すサイドフラップ部分の拡大図である。
【図６】吸収性物品の製造方法を模式的に示す図である。
【図７】変形例１に係る吸収性物品のサイドフラップ部分の拡大平面図である。
【図８】変形例２に係る吸収性物品のサイドフラップ部分の拡大平面図である。
【図９】変形例３に係る吸収性物品のサイドフラップ部分の拡大平面図である。
【発明を実施するための形態】
【００１１】
以下において、本発明に係る吸収性物品について、図面を参照しながら説明する。具体的には、（１）吸収性物品の構成、（２）吸収性物品の製造方法、（３）作用・効果、及び（４）その他の実施形態について説明する。
【００１２】
なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００１３】
（１）吸収性物品の構成
まず、本実施形態に係る吸収性物品１の構成について、図面を参照しながら説明する。図１は、本実施形態に係る吸収性物品１を示す平面図である。図２は、図１に示すＡ−Ａ断面図である。図３は、図１に示す吸収性物品のサイドフラップを折り畳んだ状態の平面図である。図４は、図３に示すＢ−Ｂ断面図である。なお、図１に示す平面図は、吸収性物品に設けられるレッグギャザー等の皺が見えない状態まで本体シート等を伸長させた状態である。本実施形態では、吸収性物品１は、オープン型の使い捨ておむつである。
【００１４】
本実施形態において、オープン型のおむつとは、予めパンツ型に成形されたおむつではなく、使用前の状態において展開された状態になっており、製品の所定部分同士を止着部材などで留めることによって着用者に装着するおむつをいう。
【００１５】
吸収性物品１は、吸収性物品１の長手方向Ｌにおいて、着用者の前胴回りに対応する前胴回り域Ｓ１と、着用者の後胴回りに対応する後胴回り域Ｓ２と、着用者の股下に対応し、かつ前胴回り域Ｓ１と後胴回り域Ｓ２との間に位置する股下域Ｓ３とを有する。
【００１６】
吸収性物品１は、吸収性本体２と、止着部材２０と、を備える。吸収性本体２は、前胴回り域Ｓ１、股下域Ｓ３及び後胴回り域Ｓ２に跨がって配置されている。股下域Ｓ３における吸収性本体２の幅方向外側端部は、前胴回り域及び後胴回り域における吸収性本体２の幅方向外側端部よりも幅方向内側に凹んでいる。股下域Ｓ３は、吸収性本体２の幅方向外側端部が幅方向内側に凹んだ領域である。股下域Ｓ３の幅方向外側端部は、着用者の脚回りに沿って配置される一対の脚回り開口部４１を構成する。
【００１７】
吸収性本体２は、吸収体３と、サイドシート４と、表面シート５と、裏面シート６と、伸縮性部材としての防漏弾性部材７と、レッグ弾性部材８と、サイドフラップ１０と、を少なくとも有する。
【００１８】
吸収体３は、表面シート５と裏面シート６との間に設けられる。吸収体３は、着用者の体液等の排泄物を吸収する。吸収体３は、繊維としての粉砕パルプや高吸収性ポリマーなどの吸収性コア、及び吸収性コアを包むコアラップによって構成される。吸収体３には、吸収性物品の長手方向Ｌに沿った複数のスリット３Ａが形成されている。スリット３Ａは、長手方向に間隔を空けて３列に配置され、かつ吸収性物品の幅方向Ｗに間隔を空けて３列に配置されている。
【００１９】
表面シート５は、吸収体の肌当接面を覆っている。表面シート５は、少なくとも吸収体３の肌当接面を覆うように構成されていればよい。本実施の形態の表面シート５は、吸収体３よりも幅方向外側に延出している。表面シート５は、親水性不織布や織物、開口プラスチックフィルム、開口疎水性不織布などの液透過性のシートによって形成される。
【００２０】
サイドシート４は、吸収体の肌当接面側に配置される。サイドシート４は、表面シート５の幅方向外側端部を覆っており、表面シート５よりも幅方向外側に延出している。サイドシート４は、吸収体３の肌当接面側に配置されていればよく、表面シート５に重ならないように配置されていてもよいし、吸収体３と重ならないように設けられていてもよい。サイドシート４は、親水性不織布や織物、開口プラスチックフィルム、開口疎水性不織布などの液透過性のシートによって形成されていてもよいし、液不透過性のシートによって形成されていてもよい。
【００２１】
サイドシート４の幅方向内側端部は、長手方向に沿った折り目を基点に折り畳まれている。この折り畳まれたサイドシート４の間に、防漏弾性部材７が接合されている。防漏弾性部材７は、少なくとも長手方向に伸縮する。サイドシート４及び防漏弾性部材７は、吸収体３よりも肌当接面側に位置する起立性の防漏カフを構成する。
【００２２】
裏面シート６は、防水フィルム（例えば、ポリエチレン）などで形成された液不透過性のフィルム（以下、バックフィルムという）によって構成されている。裏面シートの前胴回り域には、止着部材が止着されるターゲット部６Ａが設けられている。
【００２３】
なお、本実施の形態の裏面シート６は、吸収性物品の外面に配置され、着用者の衣服に当接するシートであるが、裏面シートの非肌当接面側に外装シートが設けられ、着用者の衣服に外装シートが当接するように構成されていてもよい。
【００２４】
レッグ弾性部材８は、少なくとも股下域Ｓ３において脚回り開口部４１に沿って配置される。レッグ弾性部材８は、長手方向に伸縮する。本実施の形態のレッグ弾性部材８は、幅方向に間隔を空けて３本ずつ配置されている。
【００２５】
サイドフラップ１０は、サイドシート４よりも幅方向外側に延出するシート材である。サイドフラップ１０は、サイドシート４と裏面シート６の間に接合されている。サイドフラップ１０は、例えば、不織布シートによって構成される。サイドフラップ１０は、後胴回り域Ｓ２に配置されている。
【００２６】
表面シート５、サイドシート４及びサイドフラップ１０は、吸収体よりも肌当接面側に配置されており、本体シートを構成する。本体シートは、本実施の形態のように、別々の表面シート５、サイドシート４及びサイドフラップ１０によって構成されていてもよいし、表面シート５、サイドシート４及びサイドフラップ１０が一体化されたシートによって構成されていてもよい。本体シートは、吸収体の表面を覆い、かつ吸収体よりも幅方向外側に延出したシート材であって、止着部材が接合されるものであればよい。
【００２７】
サイドシート４の長手方向の長さは、吸収性物品１の長手方向全域の長さである。一方、サイドフラップ１０の長手方向の長さは、吸収性物品の長手方向全域の長さよりも短く、吸収性物品の長手方向の一部の長さである。よって、吸収性物品を製造する際は、サイドシート４が搬送方向に連続したサイドシート連続体４Ｃ（図６参照）を搬送し、当該サイドシート連続体４Ｃに対してサイドフラップ１０を間欠的に配置する。なお、本実施の形態のサイドフラップ１０は、後胴回り域Ｓ２のみに設けられているが、後胴回り域Ｓ２のみならず、前胴回り域Ｓ１にも設けられていてもよい。
【００２８】
本体シートの幅方向外側端部であるサイドフラップ１０の幅方向外側端部は、吸収体の長手方向に沿った折り目を基点に折り返され、仮接合部を介して折り目よりも幅方向内側の本体シートに剥離可能に仮固定されている。仮接合部は、後述する第２接合部３２である。
【００２９】
サイドフラップ１０は、吸収性本体２の幅方向外側端部に重なるサイド基端部１１と、吸収性本体２よりも幅方向外側に延出するサイド延出部１２と、サイド延出部が長手方向に沿った折り目を基点に幅方向内側に折り返されたサイド折返部１３と、を有する。
【００３０】
サイド基端部１１は、サイドフラップ１０が展開した状態（図１及び図２に示す状態）において吸収性本体２に重なった部分である。サイド延出部１２は、サイドフラップ１０が展開した状態（図１及び図２に示す状態）において吸収性本体２よりも幅方向外側に延出する部分である。サイド折返部１３は、サイドフラップが折り返された状態（図３及び図４に示す状態）で、幅方向内側に折り返された部分である。サイド折返部１３は、サイド延出部１２の一部である。
【００３１】
止着部材２０は、サイドフラップの幅方向外側端部に接合され、吸収性本体の非肌当接側の面であるターゲット部６Ａに止着する。止着部材２０は、サイドフラップに重なる止着基端部２１と、サイドフラップから延出した止着延出部２２と、止着延出部上に設けられ、ターゲット部６Ａに止着する止着係合部２３と、を有する。
【００３２】
止着基端部２１は、サイドフラップ１０の肌当接側と非肌当接側に配置され、サイドフラップ１０を挟んで配置されている。止着延出部２２は、後述する止着部材２０の展開状態において、サイドフラップ１０よりも幅方向外側に延出した部分である。止着係合部２３は、使用時に、前胴回り域Ｓ１のターゲット部６Ａに止着される。止着部材２０は、面ファスナーや粘着剤などによって形成される。本実施の形態の止着部材２０は、粘着剤によって構成されている。
【００３３】
このように構成された吸収性物品１は、使用前の状態で、サイドフラップ１０及び止着部材２０が折り畳まれている。具体的には、使用前の状態の止着部材２０は、幅方向内側に折り畳まれている。図１及び図２において右側の止着部材は、幅方向外側に展開した状態である。図１及び図２において左側の止着部材は、幅方向内側に折り畳まれた状態である。止着部材が折り畳まれた状態で止着係合部２３は、止着基端部２１に対向して配置されている。止着係合部２３は、使用時に延出部が展開されることによって、露出する。
【００３４】
使用前のサイドフラップ１０は、幅方向内側に折り畳まれている。図１に示すサイドフラップ１０は、展開した状態である。図３に示すサイドフラップ１０は、折り畳まれた状態である。具体的には、サイド延出部１２が長手方向に沿った折り目ＦＬを基点に幅方向内側に折り返されている。サイド延出部１２のうち、折り目を介して折り返された部分が、サイド折返部１３である。
【００３５】
サイドフラップ１０のサイド折返部１３は、第２接合部３２を介して吸収性本体２に剥離可能に仮固定されている。サイドフラップ１０のサイド基端部１１は、サイドシート４と裏面シート６の間に、第１接合部３１を介して接合されている。
【００３６】
第２接合部３２は、おむつ使用時には剥離されるものであり、吸収性本体２とサイドフラップ１０が製造工程において位置ずれしないように、また使用前の状態でおむつをコンパクトにするために、仮固定するものである。したがって、そのタック力は、小さいものでよい。具体的には、接着強度を７Ｎ以下であることが好ましい。一方、第１接合部３１は、おむつ使用時にも剥離しないものであり、吸収性本体２とサイドフラップ１０を使用時おいても分離しないように固定するものである。したがって、そのタック力は、第２接合部３２よりも大きいものである。
【００３７】
接合強度は、以下の方法によって測定できる。まず、測定対象とする試験片を用意する。試験片は、サイドフラップ１０のサイド折返部１３が、第２接合部３２を介して吸収性本体２に仮固定された状態で、第２接合部が含まれるように切り出す。試験片の寸法は、吸収性物品の長手方向の長さが２５ｍｍ、吸収性物品の幅方向の長さが約５０ｍｍとする。試験片の幅２５ｍｍは、第２接合部の接合長さとなる。試験片の長さ５０ｍｍは、適宜変更することができる。
【００３８】
次いで、引張試験機（インストロンジャパンカンパニイリミテッド製、引張試験機 型式 ５５４３）の上部固定部に、試験片のサイドフラップを固定する。この固定する部分は、サイドフラップの端部のうち、第２接合部と反対側の端部から１０ｍｍの部分とする。引張試験機の下部固定部に、試験片の吸収性本体を接合する。この固定する部分は、吸収性本体の端部のうち、第２接合部と反対側の端部から１０ｍｍの部分とする。よって、上部固定部と下部固定部の間の略中間部分に、サイドフラップと吸収性本体とを接合した第２接合部が位置する。引張試験機の変位速度を100mm/minに設定し、第２接合部を剥離している間の最大荷重点を接着強度とする。
【００３９】
第２接合部３２及び第１接合部３１は、例えば、サイドフラップ等にホットメルト型接着剤を塗布することによって形成される。ホットメルト接着剤の塗工方法としては、スパイラル塗工、オメガ塗工、コントロールシーム塗工、ビード塗工、スロットコーター塗工等、その他一般的な塗工方法を用いることができる。
【００４０】
ホットメルト型接着剤の塗工方法は、直接塗工であってもよいし、間接塗工であってもよい。但し、塗工するシート表面の凹凸やシートを搬送するラインの傾き等の外的要因によって塗工ムラが生じ難いため、間接塗工が好ましい。また、ホットメルト型接着剤を安定して塗工するために、ホットメルト型接着剤の粘度は、１１０００ｃｐｓ（１１０ｐａ・Ｓ）以下であることが望ましい。
【００４１】
ホットメルト型接着剤の塗工温度は、１４０℃〜１６０℃とすることができる。直接塗工の塗工幅は、例えば、２ｍｍとすることができ、間接塗工の塗工幅は、例えば、５〜１０ｍｍとすることができる。間接塗工の接着剤の目付は、例えば、１２．５ｇ/ｍ２〜２５ｇ/ｍ２とすることができ、直接塗工の接着剤の目付は、例えば、１００ｇ/ｍ２とすることができる。このような条件で第２接合部を形成することにより、製造時に仮固定状態を維持し、かつ使用時に容易に剥離させることができる。
【００４２】
なお、接着剤の目付は、以下の方法によって測定できる。測定対象となる試験片を用意し、当該試験片に塗工されているホットメルト型接着剤の面積を算出する。次いで、当該試験片の重量を測定する。この重量をＸとする。次いで、試験片をトルエン溶液に浸してホットメルトを溶解する。溶解後、試験片を乾かし重量を測定する。当該重量をＹとする。重量Ｘから重量Ｙをひいて、ホットメルト型接着剤の重量を算出する。算出したホットメルト重量と、試験片に塗工されているホットメルト型接着剤の面積と、に基づいて、1m2換算のホットメルト型接着剤の目付を算出する。
【００４３】
図５に、図１におけるサイドフラップ部分の拡大図を示す。第２接合部３２は、止着部材と重ならないように配置されている。第２接合部３２は、サイドフラップ１０において止着基端部２１から幅方向に延びる幅領域ＷＲよりも長手方向外側及び幅領域ＷＲよりも長手方向内側に位置する。すなわち、第２接合部は、幅領域に重ならない。更に、第２接合部３２は、サイドフラップにおいて止着基端部２１から長手方向に延びる長手領域ＬＲ内に位置する。すなわち、第２接合部は、長手方向において止着基端部２１と重ならず、幅方向において止着基端部２１と重なるように配置されている。
【００４４】
なお、幅領域ＷＲは、止着基端部２１を含み、当該止着基端部から幅方向に延びる領域である。また、長手領域ＬＲは、止着基端部２１を含み、当該止着基端部から長手方向に延びる領域である。図５において、幅領域ＷＲと長手領域ＬＲに異なる斜線を付して示す。
【００４５】
第１接合部３１は、サイド基端部１１内に配置されている。第１接合部３１は、サイド基端部１１の略全体に設けられている。
【００４６】
このように構成された吸収性物品は、例えば、次のように着用者に装着される。装着者は、第１接合部を剥離して、サイド折返し部を展開する。サイドフラップを展開した状態で、吸収性物品１の前胴回り域Ｓ１を着用者の腹側に当て、吸収性物品１の後胴回り域Ｓ２を着用者の背側に当てた状態で、サイドフラップ１０を前胴回り域Ｓ１側に引き寄せる。次いで、止着部材の止着延出部を展開して、止着係合部２３を露出する。止着部材２０の粘着面を前胴回り域Ｓ１のターゲット部６Ａに接合することにより、吸収性物品１を着用者の身体に保持することができる。
【００４７】
また、装着時に、上述のように、サイドフラップと共に止着部材を展開せずに、サイドフラップを前胴回り域Ｓ１側に引き寄せた後に、止着部材を展開することにより、止着係合部が意図しない箇所に付いたり、止着係合部が着用者の肌に触れたりする不具合を抑制できる。
【００４８】
（２）吸収性物品の製造方法
次に、本実施形態に係る吸収性物品の製造方法の一例について、図６を用いて説明する。なお、図６においては、説明の便宜上、左右それぞれに設けられるサイドシート及びサイドフラップのうち一方のみを示している。また、なお、本実施の形態において説明しない方法については、既存の方法を用いることができる。また、以下に説明する製造方法は、一例であり、他の製造方法によって製造することもできる。吸収性物品の製造方法は、サイドフラップ１０と止着部材２０の接合工程Ｓ１１と、サイドシート４と表面シート５の接合工程Ｓ１２と、サイドフラップ１０とサイドシート４の接合工程Ｓ１３と、サイドフラップ折り畳み工程Ｓ１４と、吸収体接合工程Ｓ１５と、を少なくとも含む。
【００４９】
サイドフラップ１０と止着部材の接合工程Ｓ１１は、サイドフラップが長手方向に連続したサイドフラップ連続体１０Ｃに止着部材２０を接合する。具体的には、サイドフラップ連続体１０Ｃの幅方向の外側端部に、止着部材２０を接合する。次いで、サイドフラップ連続体１０Ｃをサイドフラップの製品長さに切断することにより、止着部材２０が接合された個々のサイドフラップ１０を製造できる。
【００５０】
なお、本実施の形態では、サイドフラップ連続体１０Ｃに止着部材２０を接合しているが、例えば、個々の製品長さに切断されたサイドフラップ１０の幅方向の外側端部に、止着部材２０を接合してもよい。
【００５１】
また、サイドフラップ１０と止着部材の接合は、種々の方法を用いることができるが、例えば、接着剤によって接合することができる。また、本実施の形態の止着部材は、サイドフラップ１０の肌当接側の面と非肌当接側の面に接合されているが、サイドフラップ１０の肌当接側の面と非肌当接側の面のうち、少なくとも一方に接合されていればよい。
【００５２】
次いで、サイドシート４と表面シートの接合工程Ｓ１２は、サイドシート４と表面シートを接合する。より詳細には、サイドシート４が長手方向に連続したサイドシート連続体４Ｃと、表面シートが長手方向に連続した表面シート連続体５Ｃと、を接合する。サイドシート連続体４Ｃと表面シート連続体５Ｃは、長手方向に沿う搬送方向ＭＤに搬送される。サイドシート連続体４Ｃは、長手方向に沿う折り目を基点に折り畳まれており、折り畳まれたサイドシート連続体４Ｃの間には、防漏弾性部材７が配置されている。このように搬送方向に連続したサイドシート連続体４Ｃの非肌当接側の面と、表面シート連続体５Ｃの肌当接側の面と、を接合する。
【００５３】
なお、サイドフラップ１０と止着部材２０の接合工程Ｓ１１と、サイドシート４と表面シート５の接合工程Ｓ１２の順序は、限定されない。例えば、サイドシート４と表面シートの接合工程Ｓ１２後に、サイドフラップ１０と止着部材の接合工程Ｓ１１が行われるように構成してもよい。
【００５４】
次いで、サイドフラップ１０とサイドシートの接合工程Ｓ１３において、止着部材２０が接合されたサイドフラップ１０と、サイドシート４と、を接合する。より詳細には、サイドシート連続体の肌当接側の面に対して、搬送方向に間欠的にサイドフラップ１０を仮固定する。仮固定は、剥離可能となる固定である。具体的には、使用前においてサイドフラップ１０がサイドシート４に接合され、かつ使用時においてサイドフラップ１０をサイドシート４から剥離できるよう固定されていればよい。サイドシート連続体４Ｃの肌当接面とサイドフラップ１０との仮固定部分が第２接合部となる。
【００５５】
次いで、サイドフラップ折り畳み工程Ｓ１４において、サイドフラップ１０を、サイドシートの幅方向の端部に沿って折り畳む。具体的には、サイドフラップ１０の搬送方向と交差する交差方向ＣＤの外側端部を、サイドシート連続体４Ｃの非肌当接面側に折り返す。このとき、サイドシート連続体４Ｃの非肌当接面に、サイドフラップ１０の折り返した部分を固定する。サイドシート連続体４Ｃの非肌当接面とサイドフラップ１０の折り返した部分との固定部分が、第１接合部３１となる。
【００５６】
次いで、吸収体接合工程Ｓ１５において、サイドシート４と吸収体と一体化する。より詳細には、吸収体３の肌当接面と、表面シート連続体５Ｃ及びサイドフラップ１０が接合されたサイドシート４と、を接合する。当該工程によって、吸収体３、表面シート連続体５Ｃ、サイドフラップ１０、止着部材２０及びサイドシート４が一体化される。なお、吸収体接合工程の前に、吸収体と裏面シート６を接合しておき、吸収体接合工程において、吸収体及び裏面シートと、表面シート連続体及びサイドフラップ１０が接合されたサイドシート４と、を接合してもよい。又は、吸収体接合工程の後に、裏面シート６を接合してもよい。吸収体やサイドシート４等に裏面シートを接合することにより、サイドシート４と裏面シートとの間に、サイドフラップ１０が配置される。
【００５７】
なお、レッグ弾性部材等、他の構成部材を配置する工程や、脚回り開口部を形成する工程等は、公知の製造方法を用いて製造することができる。
【００５８】
（３）作用・効果
吸収性物品のサイド折返部１３は、第２接合部３２を介して吸収性本体２に接合されているため、製造時にサイドフラップ１０と吸収性本体２の位置決めを行うことができる。また、使用前の状態で、吸収性物品のサイドフラップ１０が折り畳まれているため、吸収性物品をコンパクトに収納等でき、持ち運びが容易となる。
【００５９】
また、使用時には、吸収性物品のサイドフラップ１０は、展開される。このとき、サイドフラップ１０を仮固定する第２接合部３２が、幅領域ＷＲよりも長手方向外側、及び幅領域ＷＲよりも長手方向内側に位置しており、幅領域ＷＲ内に配置されていない。よって、サイドフラップ１０を展開する際に、幅領域１０Ｒ内、より好ましくは、止着部材２０の下方に指を挿入して、サイドフラップ１０を展開することができる。
【００６０】
更に、装着者は、一般的に、止着部材２０やその近傍を把持して、サイドフラップ１０を展開する。このとき、止着部材２０と第２接合部３２が重なっている場合には、接合された箇所自体を引っ張るため、剥離させにくい。一方、止着部材２０と第２接合部３２が重なっていない場合には、止着部材２０を把持し、第２接合部３２を基点としてサイドフラップ１０を展開できる。力を加える点（止着部材）とサイドフラップの展開時の支点（第２接合部）との距離が近いため、剥離させ易い。
【００６１】
また、第２接合部３２が接着材によって形成される形態において、止着部材２０上に第２接合部３２が設けられていると、仮固定を解除した状態（止着部材を展開した状態）においても、止着部材上に接着剤が残ることがある。
【００６２】
止着部材２０は、吸収性物品の装着時に、装着者が把持する部材である。止着部材２０に接着剤が残っていると、操作時に装着者等の指に接着材が付着し、違和感が生じることがある。また、止着部材２０に接着剤が残っていると、操作時に意図しない部分に止着部材２０が付いてしまい、正しい位置に装着できないおそれがある。
【００６３】
また、止着部材上に接着剤が配置されていると、仮止めを開いた際に止着部材が開く方向に力がかかってしまう。これに対して、本実施の形態の吸収性物品は、止着部材上に第２接合部が設けられていないため、仮止めを開いた際に止着部材が開く方向に力がかかるのを抑制でき、止着部材゜の意図しない開閉を抑制できる。
【００６４】
第２接合部３２は、サイドフラップにおいて止着基端部２１から長手方向に延びる長手領域ＬＲ内に位置する。このように第２接合部３２が配置されているため、止着基端部２１が接合された部分のみが吸収性本体に対して浮き上がり、装着者が指を挿入する箇所を把握し易くなる。よって、使用時の操作性が向上する。また、サイドフラップの展開時に装着者が把持する止着部材と、第２接合部３２とが離れすぎると、第２接合部３２を基点にしてサイドフラップに力をかけにくくなる。しかし、止着基端部２１に隣接する長手領域内に第２接合部３２が配置されているため、第２接合部３２を基点にしてサイドフラップに力をかけ易く、サイドフラップを容易に展開できる。
【００６５】
第２接合部３２は、止着延出部２２とサイドフラップ１０が重なった領域と離間している。例えば、止着延出部２２とサイドフラップ１０とが重なった領域が第２接合部３２によって仮固定されている場合には、当該止着延出部２２自体を把持して、第２接合部３２を剥離させ難い。しかし、第２接合部３２は、止着延出部２２とサイドフラップ１０が重なった領域と離間しているため、展開時に把持する点と、サイドフラップを展開する際の支点と、の距離を確保し、容易に展開することが可能となる。
【００６６】
止着部材２０は、各サイドフラップにおいて複数設けられている。複数の止着部材２０は、長手方向に離間している。複数の止着部材間には、第２接合部３２が配置されている。第２接合部３２は、止着基端部２１よりも長手方向外側、止着基端部２１同士の間、止着基端部２１よりも長手方向内側に配置されている。このように第２接合部３２が配置されているため、サイド折返部１３の側部は、止着基端部２１が配置された領域のみが吸収性本体２に対して浮き上がる。よって、装着者が指を挿入する箇所を把握し易くなる。
【００６７】
第２接合部３２は、防漏カフに重なって配置されている。よって、サイド折返部１３は、第２接合部３２を介して防漏カフを構成するサイドシート４に仮固定されている。サイドフラップ１０を展開する際は、サイド折返部１３を吸収性本体２から離れる方向に引っ張る。このとき、防漏カフを構成するサイドシート４とサイドフラップ１０は、直ぐに剥離せず、防漏カフがサイドフラップと共に吸収性本体から離れる方向に移動した後に剥離する。このようにサイドシート４がサイドフラップ１０と共に、着用者側に引っ張られることにより、防漏カフを起立させることができる。
【００６８】
第２接合部３２は、長手方向に延びる長手接合領域３２Ａと幅方向に延びる幅接合領域３２Ｂを有し、長手接合領域３２Ａと幅接合領域３２Ｂは、交互に連続して配置されている。第２接合部３２の平面視の形状は、波形状となる。例えば、第１接合部の全面に接着剤を塗布すると、波形状に塗工する場合と比較して接着剤の塗工量が多く、硬くなりやすい。また、接着剤の塗工量を少なくするために、例えば、接着剤を線状に塗布すると、第１接合部の面積が小さくなり、サイドフラップと吸収性本体を安定して仮止めできない。長手方向に延びる長手接合領域３２Ａと幅方向に延びる幅接合領域３２Ｂを有することにより、第２接合部は、幅方向及び長手方向に一定の範囲を備える。第２接合部の面積を確保することができ、サイドフラップと吸収性本体を安定して仮止めできる。
【００６９】
仮固定部である第２接合部は、本体シートの長手方向中心よりも前側又は後側に偏倚して配置されている。例えば、第２接合部が本体シートの長手方向中心よりも前側に偏倚した構成では、本体シートの長手方向中心よりも後側の第２接合部の長さは、本体シートの長手方向中心よりも前側の第２接合部の長さよりも短い。よって、本体シートの長手方向中心よりも後側の仮固定長さが短く、本体シートの長手方向中心よりも後側から容易に仮固定を解除できる。
【００７０】
第２接合部３２は、前胴回り域Ｓ１側が広く、後胴回り域Ｓ２側が短く配置されるためサイドフラップを展開し易くなる。具体的には、サイドフラップを展開する際は、止着部材２０とサイドシート４の間に指を挿入して、サイド延出部１２の幅方向端部内側からサイドフラップの折り目ＦＬ側に向かって徐々に第2接合部を剥離させる。このとき、サイドフラップの後胴回り域Ｓ２側が剥離開始箇所となるため、より展開易くなる。
【００７１】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７２】
次いで、図７〜図９に基づいて、変形例１〜変形例３に係る吸収性物品について、説明する。なお、以下の変形例の説明においては、上述の実施の形態と異なる構成のみ説明し、実施の形態と同様の構成については、同符号を用いて説明を省略する。
【００７３】
図７は、変形例１に係る吸収性物品のサイドフラップ部分の拡大平面図である。変形例１に係る吸収性物品は、サイドフラップ１０のサイド折返部１３と吸収性本体２とを仮固定する第３接合部３３を有する。変形例１に係るサイドフラップ１０は、第２接合部３２及び第３接合部３３を介して、吸収性本体に仮固定されている。
【００７４】
第３接合部３３は、第２接合部３２と離間しており、第２接合部３２よりもサイドフラップの折り目ＦＬ側に位置する。第３接合部３３は、幅方向において止着部材２０と離間し、かつ第２接合部３２と離間している。このように第３接合部を設けることにより、サイドフラップを展開する際に、止着部材を把持して、第３接合部を起点にして幅方向にサイドフラップを展開し易くなる。具体的には、複数の第２接合部の間の非仮固定部（仮固定されていない部）に指を挿入して、サイド延出部の幅方向端部側からサイドフラップの折り目側に向かって徐々に剥離させる。このとき、第２接合部３２が剥離し、次いで、第３接合部３３が剥離する。サイドフラップの展開時に第３接合部が支点となるため、幅方向にサイドフラップをより展開し易くなる。
【００７５】
図８は、変形例２に係る吸収性物品のサイドフラップ部分の拡大平面図である。変形例２に係る吸収性物品は、サイド折返部と吸収性本体とを仮固定する第２接合部３２が、止着基端部から長手方向に延びる長手領域よりも幅方向外側に配置されている。すなわち、第２接合部３２と止着基端部２１は、幅方向において間隔を空けて配置されている。
【００７６】
このように第２接合部を設けることにより、サイドフラップを展開する際に、止着部材を把持して、第２接合部を起点にして幅方向にサイドフラップを展開し易くなる。具体的には、止着部材とサイドシートの間に指を挿入して、サイド延出部の幅方向端部側からサイドフラップの折り目側に向かって徐々に剥離する。サイドフラップの展開方向に支点となる第２接合部が位置するため、サイドフラップをより展開し易くなる。
【００７７】
図９は、変形例３に係る吸収性物品のサイドフラップ部分の拡大平面図である。変形例３に係る吸収性物品は、第２接合部３２が、複数の止着部材間に配置されてない。複数の止着部材と、その間の領域は、サイド折返し部と吸収性本体２とが接合されていない非仮固定部である。このように構成された非仮固定部の長手方向の長さは、止着部材間の領域を接合した構成の非仮固定部の長手方向の長さよりも長い。よって、装着者の指を挿入するスペースが大きくなる。よって、操作性を向上させることができる。
【００７８】
なお、本実施の形態に係る第２接合部は、サイドフラップにおいて止着基端部から長手方向に延びる長手領域内に配置されていなくてもよい。
【００７９】
止着部材の止着延出部は、幅方向内側に折り返されていなくてもよい。止着延出部が折り畳まれていない構成にあっては、使用前に止着係合部が着用者等に意図せずに付くことを防ぐために、止着係合部を覆う保護カバーを設けることが望ましい。また、止着延出部が折り畳まれた構成にあっては、第２接合部とサイドフラップが重なった領域内に第２接合部が配置されていてもよい。
【００８０】
止着部材は、左右２個ずつ設けられていてもよいし、左右３個以上ずつ設けられていてもよいし、左右１個ずつ設けられていてもよい。
【００８１】
第２接合部は、防漏カフと重ならず、防漏カフとずれて配置されていてもよい。
【００８２】
第２接合部は、オメガ塗工のみならず、他の塗工方法であってもよい。更に、第１接合部、第２接合部及び第３接合部は、接着剤のみならず、熱溶着や超音波溶着によって構成されていてもよい。
【００８３】
第２接合部３２が、止着基端部から長手方向に延びる長手領域内に配置されるとき、第２接合部３２はサイドフラップ１０を展開した際の外側端部の長手方向距離より短く配置されていると装着者がサイドフラップ１０を展開しやすくなる。また、第２接合部３２が、止着基端部から長手方向に延びる長手領域内に配置されていない場合、第２接合部３２はサイドフラップ１０の前記外側端部長手方向距離と同一か短く配置されるのでサイドフラップ１０を展開しやすくなる。
【００８４】
サイドフラップ１０を展開する際、サイドフラップは手でしっかり把持できるほうが剥離しやすい。そのためサイドフラップ１０の目付を４０g/ m2 以上にすると把持しやすくなる。このとき、サイドフラップ１０が別体で構成されている場合、サイドフラップ１０の目付を上げても防漏カフ目付には影響しないため、防漏カフが硬くなり装着の際に違和感や肌トラブルを起こすこともない。
【符号の説明】
【００８５】
１        ：吸収性物品
２        ：吸収性本体
３        ：吸収体
３Ａ      ：スリット
４        ：サイドシート
４Ｃ      ：サイドシート連続体
５        ：表面シート
５Ｃ      ：表面シート連続体
６        ：裏面シート
６Ａ      ：ターゲット部
７        ：防漏弾性部材
８        ：レッグ弾性部材
１０      ：サイドフラップ
１１      ：サイド基端部
１２      ：サイド延出部
１３      ：サイド折返部
２０      ：止着部材
２１      ：止着基端部
２２      ：止着延出部
２３      ：止着係合部
３１      ：第１接合部
３２      ：第２接合部
３２Ａ      ：長手接合部
３２Ｂ      ：幅接合部
４１      ：脚回り開口部
ＣＤ      ：交差方向
ＦＬ    ：折り目
Ｌ        ：長手方向
ＬＲ      ：長手領域
ＭＤ      ：搬送方向
Ｓ１      ：前胴回り域
Ｓ２      ：後胴回り域
Ｓ３      ：股下域
Ｗ        ：幅方向
ＷＲ      ：幅領域
【要約】
【課題】本体シート及び止着部材を容易に展開でき、装着時の操作性を向上できる吸収性物品を提供する。
【解決手段】吸収性物品１は、吸収体に重なる本体シートと、本体シートの幅方向外側端部に接合される止着部材と、を備える。本体シートの幅方向外側端部は、吸収体の長手方向に沿った折り目を基点に折り返され、仮接合部を介して折り目よりも幅方向内側の本体シートに剥離可能に仮固定されている。仮接合部は、本体シートと止着部材が重なる止着基端部から幅方向に延びる幅領域よりも長手方向外側、及び幅領域よりも長手方向内側にそれぞれ配置されている。
【選択図】図１【図１】
0005466328.tif 000002
【図２】
0005466328.tif 000003
【図３】
0005466328.tif 000004
【図４】
0005466328.tif 000005
【図５】
0005466328.tif 000006
【図６】
0005466328.tif 000007
【図７】
0005466328.tif 000008
【図８】
0005466328.tif 000009
【図９】
0005466328.tif 000010